(57)【特許請求の範囲】
【請求項１】
浴室内の空気を循環送風するように浴室内に設置される浴室用乾燥機本体と、この浴室用乾燥機本体に、浴室用乾燥機本体の運転を制御する電波を受信するように設けた受信部と、この受信部に電波を送信する電波リモコンとを備え、浴室外に取付具を設置して前記電波リモコンを前記取付具に取り付けた状態で前記浴室用乾燥機本体の運転を制御できる構成とした浴室用乾燥機であって、前記取付具には、一端部に前記電波リモコンに設けた嵌合凹部に嵌合する嵌合凸部を有し、他端部に押すことにより支点を介して前記嵌合凸部を前記嵌合凹部から離脱する操作部を有したロック手段を設け、前記電波リモコンを前記ロック手段を介して前記取付具に取り付ける構成とした浴室用乾燥機。
【請求項２】
取付具より電波リモコンを取り外したときに、電波リモコンの取扱いに対する注意事項が表示されるように、取付具に注意事項の表示部を設けた請求項１記載の浴室用乾燥機。
【請求項３】
電波リモコンを取付具に取り付けたときに、前記取付具により回路が電源入り状態となり、電波リモコンを取付具より取り外したときに回路が電源切り状態となるスイッチを備え、前記スイッチを指で操作できない構成とした請求項１記載の浴室用乾燥機。
【請求項４】
電波リモコンに補助スイッチを設け、前記電波リモコンを取付具より取り外したときに、前記補助スイッチを用いて浴室用乾燥機本体を操作できる構成とした請求項１または３記載の浴室用乾燥機。
【請求項５】
金属製の浴室用乾燥機本体の表面の一部に樹脂製ケースを設け、前記樹脂製ケース内に、電波リモコンから送信された信号を受信する受信用アンテナを設けた請求項１、２、３または４記載の浴室用乾燥機。
【請求項６】
電波リモコンから送信された信号を受信する受信用アンテナを浴室用乾燥機本体の表面より突出させて設けた請求項５記載の浴室用乾燥機。
【請求項７】
電波リモコンの内部に、電波信号を送信する発振回路と表示部を表面に設けた基板と、この基板の裏面に設けられるグランドパターンとを備え、前記発振回路を前記表示部とグランドパターン間に配設した請求項１、２、３、４、５または６記載の浴室用乾燥機。
【請求項８】
電波リモコンの内部に、電波信号を送信する発振回路と表示部および送信用アンテナを表面に設けた基板と、この基板の裏面に設けられるグランドパターンとを備え、前記表示部とグランドパターンの対向範囲外に前記送信用アンテナを配設した請求項１、２、３、４、５、６または７記載の浴室用乾燥機。
【請求項９】
電波リモコンに設けられる送信用アンテナをループ状に形成した請求項８記載の浴室用乾燥機。
【請求項１０】
電波リモコンからの送信信号を受信したことを知らせる報知手段を浴室用乾燥機本体に設けた請求項１、２、３、４、５、６、７、８または９記載の浴室用乾燥機。
【請求項１１】
浴室用乾燥機本体の状態が正常状態かあるいは異常状態かにより報知手段による報知内容を変えて報知せしめる構成とした請求項１０記載の浴室用乾燥機。
【発明の詳細な説明】
【０００１】
【発明の属する技術分野】
本発明は、浴室内に吊り下げられた洗濯物等の被乾燥物の乾燥を行うように、浴室内に設けた浴室用乾燥機本体を浴室外より電波リモコンを用いて運転制御する浴室用乾燥機に関する。
【０００２】
【従来の技術】
近年、一般家庭における浴室の設置が多くなるにともない、浴室を利用して洗濯物を乾燥させる浴室用乾燥機が普及されており、赤外線リモコン等の遠隔操作により、浴室内に設けた浴室用乾燥機本体の運転を制御できる浴室用乾燥機の要求が高まってきている。
【０００３】
従来、この種の浴室用乾燥機の一例として図２２に示されるものが知られていた。以下、その構成について図２２を参照しながら説明する。
【０００４】
図に示すように、浴室１０１内に赤外線信号を受信する受信部１０２を設けた乾燥機本体１０３を設置し、浴室１０１に設けた扉１０４の近くの外壁にホルダー１０５を取り付け、乾燥機本体１０３に設けた受信部１０２に赤外線を送信する赤外線リモコン１０６をチェーン等の連結部材１０７でホルダー１０５に連結し、赤外線リモコン１０６をホルダー１０５に着脱自在に設け、浴室１０１内の乾燥機本体１０３の運転を制御するときには、浴室１０１の扉１０４を開き、ホルダー１０５より取り外し連結部材１０７の長さ範囲内で赤外線リモコン１０６を浴室１０１内に入れ、赤外線リモコン１０６を乾燥機本体１０３の受信部１０２に向けて操作し、赤外線信号を受信部１０２に送信して乾燥機本体１０３の運転を制御していた。
【０００５】
そして、連結部材１０７を設けることにより、赤外線リモコン１０６を浴室１０１内の乾燥機本体１０３の近くにまで持ち込まれないようにして、赤外線リモコン１０６が浴槽１０８内に落下しないように構成していた。
【０００６】
【発明が解決しようとする課題】
このような従来の浴室用乾燥機によれば、浴室１０１内に設けられた乾燥機本体１０３を運転させるには、ホルダー１０５から赤外線リモコン１０６を取り外し、チェーン等の連結部材１０７を伸ばし、なおかつ浴室１０１の扉１０４を開け、赤外線リモコン１０６を乾燥機本体１０３の受信部１０２に向けなければ確実に乾燥機本体１０３を動作させることができなく、また、連結部材１０７の長さが決まっているため、ホルダー１０５の取り付け位置も限定されるという課題があった。
【０００７】
本発明は上記課題を解決するもので、浴室内に設けた浴室用乾燥機本体を、浴室外からリモコンにより運転制御することができ、湿気によるリモコンの回路破壊を防止できる浴室用乾燥機を提供することを目的とする。
【０００８】
【課題を解決するための手段】
本発明の浴室用乾燥機においては、浴室内の空気を循環送風するように浴室内に設置される浴室用乾燥機本体と、この浴室用乾燥機本体に浴室用乾燥機本体の運転を制御する電波を受信するように設けた受信部と、この受信部に電波を送信する電波リモコンとを備え、前記電波リモコンにより浴室外において前記浴室用乾燥機本体の運転を制御できる構成としたものである。
【０００９】
本発明によれば、浴室内に設けた浴室用乾燥機本体を、浴室外からリモコンにより運転制御することができ、湿気によるリモコンの回路破壊を防止できる浴室用乾燥機を提供することができる。
【００１０】
【発明の実施の形態】
本発明の請求項１に記載の浴室用乾燥機は、浴室内の空気を循環送風するように浴室内に設置される浴室用乾燥機本体と、この浴室用乾燥機本体に、浴室用乾燥機本体の運転を制御する電波を受信するように設けた受信部と、この受信部に電波を送信する電波リモコンとを備え、浴室外に取付具を設置して前記電波リモコンを前記取付具に取り付けた状態で前記浴室用乾燥機本体の運転を制御できる構成とした浴室用乾燥機であって、前記取付具には、一端部に前記電波リモコンに設けた嵌合凹部に嵌合する嵌合凸部を有し、他端部に押すことにより支点を介してこの嵌合凸部を前記嵌合凹部より離脱する操作部を有したロック手段を設け、前記電波リモコンを前記ロック手段を介して前記取付具に取り付ける構成としたので、子供等が電波リモコンを取付具より容易に取り外すことができなくなって、浴室内に電波リモコンが持ち込まれ浴槽等に落として損傷するのが防止でき、メンテナンス時等必要に応じて操作部を押すことにより支点を介して一端部の嵌合凸部と電波リモコンの嵌合凹部の嵌合を外してロック手段を解除することにより電波リモコンを取付具より取り外し使用することができるという作用を有する。
【００１１】
以下、本発明の実施の形態について、図１〜図２１を参照しながら説明する。
【００１２】
（実施の形態１）
図１に示すように、浴室１内の空気を循環送風する送風機２およびヒータ（図示せず）を内部に設け、浴室１内に設置される浴室用乾燥機本体３に、浴室用乾燥機本体３の運転を制御する電波を受信するように受信部４を設け、受信部４に電波を送信する電波リモコン５を浴室外６に配設する。
【００１３】
そして、浴室１の外壁部７を貫通して屋外と連通させ、浴室１内の湿気を排気する換気扇８が設けられ、浴室１内には浴槽９を設置する。
【００１４】
上記構成において、浴室１内に設けられた浴室用乾燥機本体３を運転制御するときには、浴室外６に配設された電波リモコン５を操作することにより、電波リモコン５より電波が送信され、送信された電波が浴室１内の浴室用乾燥機本体３に設けた受信部４で受信され、浴室用乾燥機本体３は運転されることとなる。
【００１５】
このように本発明の実施の形態１の浴室用乾燥機によれば、浴室１内に設置される浴室用乾燥機本体３に、浴室用乾燥機本体３の運転を制御する電波を受信するように受信部４を設け、受信部４に電波を送信する電波リモコン５を浴室外６に設けるようにしたので、浴室１内において浴室用乾燥機本体３に設けられた受信部４に電波リモコン５を向けなくても浴室外６のどこの場所からでも操作することができ、運転することができる。
【００１６】
また、電波リモコン５を湿気の多い浴室１内で操作する必要がなくなるので、浴槽９内に落下させることもなく、また、防水構造を用いた高価なものにする必要がなくなり、安価な構造に形成できる。
【００１７】
（実施の形態２）
図２および図３に示すように、浴室外６の壁面１０に電波リモコン５Ａを取り付ける取付具１１を設け、電波リモコン５Ａは取付具１１に取り付けた状態で浴室用乾燥機本体３の運転を操作できるように構成する。
【００１８】
上記構成において、浴室用乾燥機本体３を運転制御するときには、壁面１０に設けた取付具１１に取り付けられている電波リモコン５Ａを取付具１１に取り付けられた状態で操作することにより、電波リモコン５Ａより電波が送信され、送信された電波が浴室１内の浴室用乾燥機本体３に設けた受信部４で受信され、浴室用乾燥機本体３は運転されることとなる。
【００１９】
このように本発明の実施の形態２の浴室用乾燥機によれば、浴室外６の壁面１０に取付具１１を設け、電波リモコン５Ａを取付具１１に取り付けた状態で操作できるようにしたので、電波リモコン５Ａを浴室１内に持ち込み浴槽９内に落としたりして損傷させることが防止できるとともに、電波リモコン５Ａを移動させることによる紛失も防止できる。
【００２０】
（実施の形態３）
図４〜図６に示すように、電波リモコン５Ｂの側部に溝１２を設け、溝１２の末端部に嵌合凹部１３を設け、壁面等に設けられる取付具１１Ａには、一端部に電波リモコン５Ｂを設けた三角状の嵌合凹部１３に嵌合する嵌合凸部１４を有し、他端部には嵌合凸部１４を嵌合凹部１３より離脱する操作部１５を有したロック手段１６を設け、ロック手段１６は、嵌合凸部１４が内側に閉鎖勝手となるように設け、操作部１５を内側に向かい押すことにより支点１７を介して嵌合凸部１４が外方に移動するように設ける。
【００２１】
上記構成において、壁面等に取付具１１Ａを設け、取付具１１Ａに電波リモコン５Ｂを取り付けるときには、電波リモコン５Ｂに設けられた溝１２を取付具１１Ａのロック手段１６の嵌合凸部１４に係合して摺動し、溝１２の端部に設けた嵌合凹部１３に取付具１１Ａの嵌合凸部１４が嵌合すると内側に閉鎖し、勝手に作用する嵌合凸部１４が、電波リモコン５Ｂの嵌合凹部１３に嵌合して電波リモコン５Ｂはロック手段１６でロックされて取付具１１Ａに取り付けられる。
【００２２】
そして、浴室乾燥機本体（図示せず）のメンテナンス時等において、浴室内で電波リモコン５Ｂを操作する方が便利でメンテナンスが行い易いときには、ロック手段１６の操作部１５を内側に向かい押すことにより支点１７を介して嵌合凸部１４が外方に向かって開き、電波リモコン５Ｂの嵌合凹部１３より離脱して電波リモコン５Ｂは取付具１１Ａより取り外されて使用することができる。
【００２３】
このように本発明の実施の形態３の浴室用乾燥機によれば、電波リモコン５Ｂをロック手段１６を介して取付具１１Ａに取り付けるので、通常時は電波リモコン５Ｂは壁面に設けた取付具１１Ａにロックされた状態で取り付けられているので、子供等が電波リモコン５Ｂを取付具１１Ａより容易に取り外すことができなくなって、浴室内に電波リモコン５Ｂが持ち込まれ浴槽等に落として損傷するのが防止でき、メンテナンス時等必要に応じてロック手段１６を解除することにより電波リモコン５Ｂを取付具１１Ａより取り外し使用することができる。
【００２４】
（実施の形態４）
図７に示すように、取付具１１Ｂより電波リモコン５Ａを取り外したときに、電波リモコン５Ａの取扱いに対する注意事項が表示されるように取付具１１Ｂに注意事項の表示部１８を設け構成する。
【００２５】
上記構成において、取付具１１Ｂに取り付けられた電波リモコン５Ａを取り外したときには、取付具１１Ｂに電波リモコン５Ａの取扱いに対する注意事項が書かれた表示部１８が露出し、使用者が表示部１８に記載された注意事項を読み、電波リモコン５Ａを正しく使用することができる。
【００２６】
このように本発明の実施の形態４の浴室用乾燥機によれば、取付具１１Ｂより電波リモコン５Ａを取り外したときには、取付具１１Ｂに設けた表示部１８が露出され、表示部１８に記載された電波リモコン５Ａの取扱いに対する注意事項を使用者に知らしめるので、注意事項を強調することにより使用者は、より安全で正確に電波リモコン５Ａを使用することができる。
【００２７】
（実施の形態５）
図８に示すように、電波リモコン５Ｃに設けられ、電池１９から電源を供給される回路が設けられる基板２０に、回路を開閉するように上下する形状で、指で操作できないスイッチ２１と係合孔２２を設け、取付具１１Ｃには電波リモコン５Ｃに設けた係合孔２２‘に係合し、スイッチ２１を上方に押上げる突部２２を有した係合子２３を設け、電波リモコン５Ｃを取付具１１Ｃに取り付けたときに、取付具１１Ｃにより回路が電源入り状態となり、電波リモコン５Ｃを取付具１１Ｃより取り外したときに回路が電源切り状態となるように設け、電波リモコン５Ｃに設けた取付孔２４には取付具１１Ｃに設けた鍵状の支持部２５が係合し、電波リモコン５Ｃを取り付ける構成とする。
【００２８】
上記構成において、壁面等に設けた取付具１１Ｃの係合子２３が電波リモコン５Ｃの係合孔２２に係合できるように、取付具１１Ｃに設けた支持部２５に電波リモコン５Ｃの取付孔２４を嵌挿し、取付具１１Ｃの係合子２３によりスイッチ２１を上方に移動して回路を電源入り状態となるとともに、取付具１１Ｃの支持部２５が電波リモコン５Ｃの取付孔２４に係合して電波リモコン５Ｃが取付具１１Ｃに取り付けられ、電波リモコン５Ｃは取付具１１Ｃに取り付けられた状態で操作できることとなる。
【００２９】
そして、電波リモコン５Ｃを取付具１１Ｃより離脱したときには、電波リモコン５Ｃのスイッチ２１は切り替わり回路は電源切り状態となり、電波リモコン５Ｃの使用は不可能となる。
【００３０】
このように本発明の実施の形態５の浴室用乾燥機によれば、電波リモコン５Ｃを取付具１１Ｃに取り付けたときに、取付具１１Ｃにより回路が電源入り状態となり、電波リモコン５Ｃが使用可能となり、電波リモコン５Ｃを取付具１１Ｃより取り外したときには、回路が電源切りとなり、電波リモコン５Ｃが使用不能となるスイッチ２１を設け、スイッチ２１は指では操作できないようにしたので、幼児等が取付具１１Ｃより勝手に電波リモコン５Ｃを取り外した場合においても、電波リモコン５Ｃの操作が不能となるため、幼児等によるいたずら運転等を防止することができ、また、メンテナンス時の不意の作動が防止でき安全性が高められる。
【００３１】
（実施の形態６）
図９および図１０に示すように、電波リモコン５Ｄの裏面に押圧することにより作動する補助スイッチ２６を設け、取付具１１より電波リモコン５Ｄを取り外したときに、補助スイッチ２６を用いて浴室用乾燥機本体（図示せず）を操作できるように構成する。
【００３２】
上記構成において、電波リモコン５Ｄを、取付具１１に取り付けたときには、電波リモコン５Ｄに設けた補助スイッチ２６は取付具１１により押されて電波リモコン５Ｄで浴室用乾燥機本体が操作できる状態となり、電波リモコン５Ｄを取付具１１より取り外したときには、補助スイッチ２６を押し続けない限り電波リモコン５Ｄで浴室用乾燥機本体を操作することができない状態となる。
【００３３】
そして、浴室用乾燥機本体のメンテナンス時等において、電波リモコン５Ｄを浴室用乾燥機本体の近くで操作するのが便利な場合等、電波リモコン５Ｄを取付具１１より取り外したときに、補助スイッチ２６を押し続けることにより、浴室用乾燥機本体を運転してメンテナンスを行うことができるように電波リモコン５Ｄの操作が可能となる。
【００３４】
このように本発明の実施の形態６の浴室用乾燥機によれば、電波リモコン５Ｄに補助スイッチ２６を設け、電波リモコン５Ｄを取付具１１より取り外したときに、補助スイッチ２６を用いて浴室用乾燥機本体を操作できるので、メンテナンス時等において電波リモコン５Ｄを取付具１１より取り外した状態で補助スイッチ２６を押し続けることにより、浴室用乾燥機本体の操作を行うことができ、使用勝手が良くなり便利となる。
【００３５】
（実施の形態７）
図１１および図１２に示すように、金属製の浴室用乾燥機本体３Ａの表面の一部に樹脂製ケース２７を設け、樹脂製ケース２７内に、電波リモコン（図示せず）から送信された信号を受信する受信用アンテナ２８を設けた構成とする。
【００３６】
上記構成において、電波リモコンから送信された信号は樹脂製ケース２７内に設けた受信用アンテナ２８に受信される。このとき受信用アンテナ２８は金属製の浴室用乾燥機本体３Ａの一部に樹脂製ケース２７を設け、その内部に受信用アンテナ２８を設けることにより、電波を確実に受信用アンテナ２８に送ることができる。
【００３７】
このように本発明の実施の形態７の浴室用乾燥機によれば、金属製の浴室用乾燥機本体３Ａの表面の一部に樹脂製ケース２７を設け、樹脂製ケース２７内に、電波リモコンから送信された信号を受信する受信用アンテナ２８を設けたので、アンテナ部分が金属でおおわれていないため、浴室用乾燥機の受信部に確実に信号を送信することができることとなる。
【００３８】
（実施の形態８）
図１３および図１４に示されるように、電波リモコン（図示せず）から送信された信号を受信する受信用アンテナ２８Ａを浴室用乾燥機本体３Ｂの表面より突出させ設けた構成とする。
【００３９】
上記構成において、受信用アンテナ２８Ａの全方向から電波リモコンの送信信号を受信することができる。
【００４０】
このように本発明の実施の形態８の浴室用乾燥機によれば、電波リモコンから送信された信号を受信する受信用アンテナ２８Ａ部分を金属で覆われた浴室用乾燥機本体３Ｂの表面より突出させて設けているので、受信用アンテナ２８Ａの全方向からの電波リモコンの送信信号を受信できるため、より確実に浴室用乾燥機本体３Ｂを運転することができることとなる。
【００４１】
（実施の形態９）
図１５に示すように、電波リモコン５Ｅの内部に設けた基板２９の表面に電波信号を送信する発振回路３０と表示部３１を設け、基板２９の裏面にはグランドパターン３２を設け、発振回路３０を表示部３１とグランドパターン３２との間に配設する。そして電源リモコン５Ｅ内には電源となる電池１９Ａを設けた構成とする。
【００４２】
上記構成において、発振回路３０を表示部３１とグランドパターン３２との間にはさみ込むことにより、送信周波数出力およびその高次高調波出力が調整され、法律規制レベル以下にすることができる。
【００４３】
このように本発明の実施の形態９の浴室用乾燥機によれば、電波リモコン５Ｅの内部に電波信号を送信する発振回路３０と表示部３１を基板２９の表面に設け、基板２９の裏面にはグランドパターン３２を設け、発振回路３０を表示部３１とグランドパターン３２間に配設したので、電波の送信周波数出力およびその高次高調波出力が調整され、法律規制レベルまで押さえることができる。
【００４４】
（実施の形態１０）
図１６に示すように、電波リモコン５Ｆの内部に電波信号を送信する発振回路３０と表示部３１および送信用アンテナ３３を表面に設けた基板２９Ａと、この基板２９Ａの裏面に設けられるグランドパターン３２を備え、表示部３１とグランドパターン３２の対向範囲外に送信用アンテナ３３を設けた構成とする。
【００４５】
上記構成において、送信用アンテナ３３を表示部３１とグランドパターン３２の対向範囲外に送信用アンテナ３３を配設することにより、送信周波数の出力だけを効率的に送信することができる。
【００４６】
このように本発明の実施の形態１０の浴室用乾燥機によれば、電波リモコン５Ｆの内部に、電波信号を送信する発振回路３０と表示部３１および送信用アンテナ３３を表面に設けた基板２９Ａと、この基板２９Ａの裏面に設けられるグランドパターン３２とを備え、表示部３１とグランドパターン３２の対向範囲外に送信用アンテナ３３を配設したので、送信周波数の出力だけを効率的に送信することができる。
【００４７】
（実施の形態１１）
図１７および図１８に示すように、電波リモコン５Ｇに設けられる送信用アンテナ３３Ａをループ状に形成した構成とする。
【００４８】
上記構成において、浴室外の壁面１０に取付具１１を用いて電波リモコン５Ｇを正規な状態に設置すると、電波リモコン５Ｇより送信される電波はほぼ同心円状に出力されることとなる。
【００４９】
このように本発明の実施の形態１１の浴室用乾燥機によれば、電波リモコン５Ｇに設けられる送信用アンテナ３３Ａをループ状に形成したので、壁面１０に取付具１１を用いて正規な状態に設置することにより、電波リモコン５Ｇより送信される電波をほぼ均等に出力することができる。
【００５０】
（実施の形態１２）
図１９に示すように、電波リモコン５Ｈからの送信信号を受信したことを知らせるブザー等の報知手段３４を浴室用乾燥機本体３Ｃに設けた構成とする。
【００５１】
上記構成において、浴室内に設けた浴室用乾燥機本体３Ｃを運転するために浴室外より電波リモコン５Ｈを用いて電波信号を送信すると浴室用乾燥機本体３Ｃに設けた受信部４に受信されて浴室用乾燥機本体３Ｃが運転されるとともに、報知手段３４により運転されたことが報知され、使用者に浴室用乾燥機本体３Ｃが運転されたことが知らされることとなる。
【００５２】
このように本発明の実施の形態１２の浴室用乾燥機によれば、電波リモコン５Ｈからの電波信号を受信したことを知らせる報知手段３４を浴室用乾燥機本体３Ｃに設けたので、浴室用乾燥機本体３Ｃが見えないところから電波リモコン５Ｈを操作しても、浴室内部に設けられた浴室用乾燥機本体３Ｃが運転されたことが報知手段３４により使用者に知らしめられることとなり、浴室用乾燥機本体３Ｃが確実に動作していることが確認できる。
【００５３】
（実施の形態１３）
図２０および図２１に示すように、電波リモコン５Ｈからの送信信号を受信したことを知らせるブザー等の報知手段３４Ａを浴室用乾燥機本体３Ｄに設け、浴室用乾燥機本体３Ｄが正常な運転状態（ａ）にあるときには、電波リモコン５Ｈを操作すると電波リモコン信号がＨｉからＬｏに変化し、報知手段３４ＡはＯＦＦからＯＮとなって報知される。
【００５４】
そして、浴室用乾燥機本体３Ｄが異常な状態（ｂ）にあるときには、電波リモコン５Ｈを操作すると信号がＨｉからＬｏに変化し、報知手段３４ＡはＯＦＦからＯＮを数回繰り返し断続的に報知されるように構成する。
【００５５】
上記構成において、浴室用乾燥機本体３Ｄを運転するために浴室外の電波リモコン５Ｈより電波信号を送信すると、浴室用乾燥機本体３Ｄが正常な状態にあるときには、浴室用乾燥機本体３Ｄに設けた受信部４に受信されて浴室用乾燥機本体３Ｄが運転されるとともに、報知手段３４Ａにより報知音が一回報知されて浴室用乾燥機本体３Ｄが運転されたことが知らされる。
【００５６】
そして、浴室用乾燥機本体３Ｄが異常な状態で運転が不可能な状態にあるときに、電波リモコン５Ｈを操作すると浴室用乾燥機本体３Ｄに設けた報知手段３４Ａは数回の断続音で報知し、浴室用乾燥機本体３Ｄは運転できない状態で異常な状態であることを使用者に知らされることとなる。
【００５７】
このように本発明の実施の形態１３の浴室用乾燥機によれば、電波リモコン５Ｈからの送信信号を受信したことを知らせる報知手段３４Ａを浴室用乾燥機本体３Ｄに設け、浴室用乾燥機本体３Ｄの状態が正常状態かあるいは異常状態かにより報知手段３４Ａによる報知内容を変えて報知せしめる構成としたので、浴室内に設けられる浴室用乾燥機本体３Ｄの見えないところから電波リモコン５Ｈを操作しても、浴室用乾燥機本体３Ｄに異常な状態があるときには、報知手段３４Ａにより報知されることにより浴室用乾燥機本体３Ｄに異常があることが判明し対応することができる。
【００５８】
【発明の効果】
以上の実施の形態から明らかなように、本発明によれば浴室内に空気を循環送風するように浴室内に設置される浴室用乾燥機本体と、この浴室用乾燥機本体に、浴室用乾燥機本体の運転を制御する電波を受信するように設けた受信部と、この受信部に電波を送信する電波リモコンとを備え、前記電波リモコンにより浴室外において前記浴室用乾燥機本体の運転を制御できる構成としたので、電波リモコンを浴室用乾燥機本体に設けた受信部に向けなくても、浴室外のどこの場所からでも操作し運転することができ、また、防水構造を持たない安価な電波リモコンを用いることができる浴室用乾燥機を提供できる。
【００５９】
また、浴室外に取付具を設置し、電波リモコンを前記取付具に取り付けた状態で前記電波リモコンを操作できる構成としたので、電波リモコンを浴槽内に落とし損傷するのが防止できる。
【００６０】
また、電波リモコンをロック手段を介して取付具に取り付ける構成としたので、持ち運ぶことによる紛失や、浴室用乾燥機が使用者の意志とは別に動作することを防止できる。
【００６１】
また、取付具より電波リモコンを取り外したときに、電波リモコンの取扱いに対する注意事項が表示されるように、取付具に注意事項の表示部を設けたので、電波リモコンを取付具に着脱して使用する場合、注意事項を強調することにより使用者により安全かつ正確に電波リモコンを使用することができる。
【００６２】
また、電波リモコンを取付具に取り付けたときに、前記取付具により回路が電源入り状態となり、電波リモコンを取付具より取り外したときに回路が電源切り状態スイッチを備え、前記スイッチを指で操作できない構成としたので、幼児によるいたずら運転等を防止することができ、また、メンテナンス時の不意の作動が起こらず安全である。
【００６３】
また、電波リモコンに補助スイッチを設け、前記電波リモコンを取付具より取り外したときに、前記補助スイッチを用いて浴室用乾燥機本体を操作できる構成としたので、メンテナンスの場合等、メンテナンス者の意志で浴室用乾燥機本体を運転することができる。
【００６４】
また、金属製の浴室用乾燥機本体の表面の一部に樹脂製ケースを設け、前記樹脂製ケース内に電波リモコンから送信された信号を受信する受信用アンテナを設けたので、受信用アンテナ部分が金属で覆われなくなり、浴室用乾燥機本体の受信部に確実にデーターを送信することができる。
【００６５】
また、電波リモコンから送信された信号を受信する受信用アンテナを、浴室用乾燥機本体の表面より突出させて設けたので、受信用アンテナ部分の全方向から電波リモコンの送信信号を受信できるため、より確実に浴室用乾燥機本体を運転することができる。
【００６６】
また、電波リモコンの内部に、電波信号を送信する発振回路と表示部を表面に設けた基板と、この基板の裏面に設けられるグランドパターンとを備え、前記発振回路を前記表示部とグランドパターン間に配設したので、電波の送信周波数出力とその高次高調波出力を調整することができ、法律規制レベルまで抑えることができる。
【００６７】
また、電波リモコンの内部に電波信号を送信する発振回路と表示部分および送信用アンテナを表面に設けた基板と、この基板の裏面に設けられるグランドパターンとを備え、前記表示部とグランドパターンの対向範囲外に前記送信用アンテナを配設したので、送信周波数の出力だけを効率的に送信することができる。
【００６８】
また、電波リモコンに設けられる送信用アンテナをループ状に形成したので、電波リモコンを正規の状態に設置した場合において、電波の出力を均等に出力することができる。
【００６９】
また、電波リモコンからの送信信号を受信したことを知らせる報知手段を浴室用乾燥機本体に設けたので、浴室用乾燥機本体が見えないところから電波リモコンを操作しても、浴室内に設けた浴室用乾燥機本体が確実に動作していることがわかる。
【００７０】
また、電波リモコンからの送信信号を受信したことを知らせる報知手段を浴室用乾燥機本体に備え、前記浴室用乾燥機本体の状態が正常状態か、あるいは異常状態かにより前記報知手段による報知内容を変えて報知せしめる構成としたので、浴室用乾燥機本体の見えないところから電波リモコンを操作しても浴室用乾燥機本体が異常状態にあることがわかる。
【図面の簡単な説明】
【図１】本発明の実施の形態１の浴室用乾燥機の設置状態を示す断面図
【図２】本発明の実施の形態２の浴室用乾燥機の設置状態を示す断面図
【図３】同浴室用乾燥機の電波リモコンの取付状態を示す正面図
【図４】本発明の実施の形態３の電波リモコンの正面図
【図５】同電波リモコンの側面図
【図６】同取付具の正面図
【図７】本発明の実施の形態４の電波リモコンと取付具の関係を示す正面図
【図８】本発明の実施の形態５の電波リモコンと取付具の関係を示す正面図
【図９】本発明の実施の形態６の電波リモコンの裏面斜視図
【図１０】同電波リモコンを取付具に取り付けた状態を示す側面図
【図１１】本発明の実施の形態７の浴室用乾燥機本体の斜視図
【図１２】同浴室用乾燥機本体の一部破断した側面図
【図１３】本発明の実施の形態８の浴室用乾燥機本体の斜視図
【図１４】同浴室用乾燥機本体の一部破断した側面図
【図１５】本発明の実施の形態９の電波リモコンの内部構成を示す断面図
【図１６】本発明の実施の形態１０の電波リモコンの内部構成を示す断面図
【図１７】本発明の実施の形態１１の電波リモコンを壁面に取り付けた状態を示す正面図
【図１８】同電波リモコンの電波信号の状態を示す斜視図
【図１９】本発明の実施の形態１２の浴室用乾燥機本体の報知状態を示す斜視図
【図２０】本発明の実施の形態１３の浴室用乾燥機本体の報知状態を示す斜視図
【図２１】（ａ）同浴室用乾燥機本体が正常時の報知状態を示す信号図
（ｂ）同浴室用乾燥機本体が異常時の報知状態を示す信号図
【図２２】従来の浴室用乾燥機の設置状態を示す斜視図
【符号の説明】
１      浴室
３      浴室用乾燥機本体
３Ａ    浴室用乾燥機本体
３Ｂ    浴室用乾燥機本体
３Ｃ    浴室用乾燥機本体
３Ｄ    浴室用乾燥機本体
４      受信部
５      電波リモコン
５Ａ    電波リモコン
５Ｂ    電波リモコン
５Ｃ    電波リモコン
５Ｄ    電波リモコン
５Ｅ    電波リモコン
５Ｆ    電波リモコン
５Ｇ    電波リモコン
５Ｈ    電波リモコン
６      浴室外
１１    取付具
１１Ａ  取付具
１１Ｂ  取付具
１１Ｃ  取付具
１６    ロック手段
１８    表示部
２１    スイッチ
２６    補助スイッチ
２７    樹脂製ケース
２８    受信用アンテナ
２８Ａ  受信用アンテナ
２９    基板
２９Ａ  基板
３０    発振回路
３１    表示部分
３２    グランドパターン
３３    送信用アンテナ
３３Ａ  送信用アンテナ
３４    報知手段
３４Ａ  報知手段
【図１】
0003847498.tif 000002
【図２】
0003847498.tif 000003
【図３】
0003847498.tif 000004
【図４】
0003847498.tif 000005
【図５】
0003847498.tif 000006
【図６】
0003847498.tif 000007
【図７】
0003847498.tif 000008
【図８】
0003847498.tif 000009
【図９】
0003847498.tif 000010
【図１０】
0003847498.tif 000011
【図１１】
0003847498.tif 000012
【図１２】
0003847498.tif 000013
【図１３】
0003847498.tif 000014
【図１４】
0003847498.tif 000015
【図１５】
0003847498.tif 000016
【図１６】
0003847498.tif 000017
【図１７】
0003847498.tif 000018
【図１８】
0003847498.tif 000019
【図１９】
0003847498.tif 000020
【図２０】
0003847498.tif 000021
【図２１】
0003847498.tif 000022
【図２２】
0003847498.tif 000023